(57)【要約】【課題】ロングパットの距離感を習得するのに有効であって、練習後のボール回収にも手間が掛からないパット練習器を提供する。【解決手段】パット練習器１０は、ゴルフボールＢの転動領域となるマット１１と、マット１１上を転動するゴルフボールＢの速度を計測する球速計測手段１２と、球速計測手段１２で計測された速度値に基づいて算出したボールＢの転動距離などを表示する表示手段１３と、マット１１上を転動してきたゴルフボールＢを受け止めるボール受け手段１６と、を備えている。ボール受け手段１６として、マット１１上を転動するゴルフボールＢが接触して通過可能な状態に垂下された可撓性部材１４，１５が設けられている。可撓性部材１４，１５は、マット１１の終端部１１ｂに配置された柵状部材１６に着脱可能に取り付けられている。【選択図】図１
2011015745.tif 000002
【特許請求の範囲】
【請求項１】
ボールの転動領域となるマットと、前記マット上を転動するボールの速度を計測する球速計測手段と、前記球速計測手段で計測された速度値に基づいて算出されたボールの転動距離を表示する表示手段と、前記マット上を転動してきたボールを受け止めるボール受け手段と、を備え、前記ボール受け手段として、前記マット上を転動するボールが接触して通過可能な状態に垂下された可撓性部材を設けたことを特徴とするパット練習器。
【請求項２】
前記可撓性部材として、前記マット上から前記マット表面に向かって垂下する平板状の弾性部材を設けた請求項１記載のパット練習器。
【請求項３】
前記可撓性部材を通過したボールの転動領域にボールの転動を阻止する柵状部材を設けた請求項１または２記載のパット練習器。
【請求項４】
ゴルフボールの転動領域となるマットと、前記マット上を転動してきたゴルフボールを跳ね返す反発部材と、を備え、前記反発部材の上面に、ゴルフ場のホールの内径と同径の円形マークを表示したことを特徴とするパット練習器。
【請求項５】
前記円形マーク内に、打球目標となる複数の目標点を表示した請求項４記載のパット練習器。
【発明の詳細な説明】
【技術分野】
【０００１】
本発明は、室内において、ゴルフのロングパットやショートパットの練習を行うためのパット練習器に関する。
【背景技術】
【０００２】
パット練習器については、従来、様々な構造、機能を備えたものが多数提案されているが、本発明に関連するものとして、例えば、特許文献１記載のパット練習器がある。このパット練習器は、仮想グリーンとなるマットと、打ち出されたゴルフボールの速度検出手段と、グリーン面速度や仮想カップまでの距離等の設定条件を入力可能な入力手段と、マット上に打ち出された打球を受ける球受け部と、入力された設定条件及び打球の到達予測距離を表示する表示手段等と、を備えている。
【０００３】
特許文献１記載のパット練習器によれば、狭い室内においてもパットの練習を効果的に行うことができ、短い距離から長い距離までのパッティング感覚を段階的に確実に習得することができる、という効果が得られる。
【先行技術文献】
【特許文献】
【０００４】
【特許文献１】特開平１０−２９５８６７号公報
【発明の概要】
【発明が解決しようとする課題】
【０００５】
特許文献１記載のパット練習器においては、所定の打球地点からマット上に打ち出されたボールが前記打球地点に戻るだけの弾性力を有する打球受け部が設けられているため、打球地点から適切な速度で真っ直ぐに打ち出されたボールはきちんと元の打球地点に戻ってくる点においては優れている。
【０００６】
しかしながら、ボールが斜めに打ち出されたり、ボールの打ち出し速度が不適切であったりすると、打球受け部で跳ね返されたボールは、元の打球地点に戻らず、マット上や打球受け部周辺に散らばってしまう。このため、複数のボールが散らばった状態となって、その後に打つボールと衝突して練習の妨げとなるだけでなく、練習後のボールの回収にも多くの手間を要する。
【０００７】
本発明が解決しようとする第一の課題は、ロングパットの距離感を習得するのに有効であって、練習後のボール回収にも手間が掛からないパット練習器を提供することにあり、第二の課題は、ショートパットを真っ直ぐ打つ技術の向上に有効であって、ボール回収が不要なパット練習器を提供することにある。
【課題を解決するための手段】
【０００８】
本発明のパット練習器は、ボールの転動領域となるマットと、前記マット上を転動するボールの速度を計測する球速計測手段と、前記球速計測手段で計測された速度値に基づいて算出されたボールの転動距離を表示する表示手段と、前記マット上を転動してきたボールを受け止めるボール受け手段と、を備え、前記ボール受け手段として、前記マット上を転動するボールが接触して通過可能な状態に垂下された可撓性部材を設けたことを特徴とする。
【０００９】
このような構成とすれば、練習者が、マット上に置いたボールを、球速計測手段を経由してボール受け手段に向かうような方向へ打てば、マット上を転動するボールの速度を球速計測手段が計測し、その速度値に基づいて算出されたボールの転動距離が表示手段に表示される。従って、表示手段に表示された転動距離の値を練習者が見ることにより、自分の打球動作の強弱とボールの転動距離との関係を把握することが可能となり、ロングパットの距離感を習得するのに有効である。これにより、練習者は、ロングパットの「基準の距離」を体得し、全ての距離に対し、「基準の何倍？」あるいは「基準の何割増し？」などの感覚で、ほぼ正確に打つことのできる距離感を習得することができる。
【００１０】
また、練習者が打ったボールは、マット上を転動しながらボール受け手段である可撓性部材に接触し、その下方を通過するが、ボールが接触、通過する際に変形する可撓性部材によりボールの運動エネルギが吸収され、その速度が急激に低下し、可撓性部材の近傍で停止する。このため、打ち出されたボールが散乱することがなくなり、練習後のボール回収にも手間が掛からない。
【００１１】
ここで、前記可撓性部材として、前記マット上から前記マット表面に向かって垂下する平板状の弾性部材を設けることが望ましい。
【００１２】
このような構成とすれば、マット上を横断する方向に平板状の弾性部材を配置することが可能となるため、マット上を真っ直ぐに転動してくるボールだけでなく、斜め方向に転動してくるボールも確実に受け止めることができる。
【００１３】
さらに、前記可撓性部材を通過したボールの転動領域にボールの転動を阻止する柵状部材を設けることが望ましい。
【００１４】
このような構成とすれば、練習中にマット上に打ち出され、可撓性部材を通過したボールは柵状部材で囲まれた領域に集まるので、練習後のボール回収の手間をさらに省くことができる。
【００１５】
次に、本発明のパット練習器は、ゴルフボールの転動領域となるマットと、前記マット上を転動してきたゴルフボールを跳ね返す反発部材と、を備え、前記反発部材の上面に、ゴルフ場のホールの内径と同径の円形マークを表示したことを特徴とする。
【００１６】
このような構成とすれば、練習者が、マット上に置いたボールを反発部材の上面の円形マークに向かって打つことにより、目標を狙って、真っ直ぐにボールを打つ練習を行うことができるため、ショートパットを真っ直ぐ打つ技術の向上に有効である。また、円形マークに向かって打たれたボールは反発部材に当接して、跳ね返された後、練習者の足元に戻ってくるので、１個のボールでショートパットの練習を反復することができ、ボール回収の手間も不要である。
【００１７】
この場合、前記円形マーク内に、打球目標となる複数の目標点を表示することが望ましい。このような構成とすれば、練習者は、練習目的に応じて、これらの目標点のうちの何れか一つを狙ってボールを打つ練習をすることが可能となるため、目標の一点を狙って、真っ直ぐにボールを打つ技術を習得することができる。前記目標点の個数や位置は限定しないが、例えば、前記円形マークの一方の端部にボールが内接したと仮定したときの当該ボールの中心と、前記円形マークの中心と、前記円形マークの他方の端部にボールが内接したと仮定したときの当該ボールの中心と、の３つの点を目標点として表示することが望ましい。これらの３つの点を目標点として表示すれば、練習者は、１ｍ程度のショートパットにおけるスライスライン、ストレートライン及びフックラインの目標を意識して、より実戦的な練習を行うことができる。
【発明の効果】
【００１８】
本発明により、ロングパットの距離感を習得するのに有効であって、練習後のボール回収にも手間が掛からないパット練習器、及び、ショートパットを真っ直ぐ打つ技術の向上に有効であってボール回収が不要なパット練習器を提供することができる。
【図面の簡単な説明】
【００１９】
【図１】本発明の第一実施形態であるパット練習器を示す斜視図である。
【図２】図１に示すパット練習器を構成する表示手段の正面図である。
【図３】図１中のＸ−Ｘ線における断面図である
【図４】本発明の第二実施形態であるパット練習器を示す斜視図である。
【図５】図４に示すパット練習器を構成する反発部材の平面図である。
【図６】図５に示す反発部材の底面図である。
【発明を実施するための形態】
【００２０】
以下、図１〜図３に基づいて本発明の第一実施形態であるパット練習器１０について説明する。図１に示すように、パット練習器１０は、ゴルフボールＢ（以下、「ボールＢ」という。）の転動領域となるマット１１と、マット１１上を転動するボールＢの速度を計測する球速計測手段１２と、球速計測手段１２で計測された速度値に基づいて算出したボールの転動距離などを表示する表示手段１３と、マット１１上を転動してきたボールＢを受け止めるボール受け手段である可撓性部材１４，１５と、を備えている。
【００２１】
床面Ｆ上に広げられたマット１１は平面視形状が矩形状であり、始端部１１ａからその長辺方向に沿って終端部１１ｂに向かってボールＢを打ち出すように設定されている。マット１１は、合成樹脂製の柔軟なシート材で形成されているので、不使用時は円筒状に丸めて収納することができる。マット１１の素材は限定しないので、実際のゴルフ場のグリーンに似た人工芝生を使用してもよい。なお、マット１１の素材を人工芝生などの他の素材に変更すると、ボールＢに対する転がり摩擦係数が変化するが、後述する、表示手段１３に内蔵された演算回路（図示せず）の設定変更を行うことによって対応することができる。
【００２２】
門型形状をなす球速計測手段１２は、マット１１上のボールＢの転動領域を挟んで対向配置された一対のセンサ収納部１２ａと、これらのセンサ収納部１２ａの対向面に設けられたセンサ１２ｂと、二つのセンサ収納部１２ａを連結する水平支持部材１２ｃと、で構成されている。二つのセンサ収納部１２ａ間を通過するボールＢの速度をセンサ１２ｂが検知し、その検知データが信号ケーブル１９を経由して表示手段１３へ送信され、表示手段１３に内蔵された演算回路（図示せず）が前記検知データに基づいて算出したボールの転動距離などが表示される。球速計測手段１２はマット１１と分離しているので、マット１１上のボール転動領域を跨ぐような状態で予め設定された位置に配置される。
【００２３】
図２に示すように、表示手段１３は箱形の機器であり、その表面パネル１３ｐに、電源スイッチ２１、パイロットランプ２２、平均値表示スイッチ２３、速度表示切換スイッチ２４、距離表示切換スイッチ２５、回数表示部２６、速度・距離表示部２７、リセットスイッチ２８及び「芝の速さ」の設定ダイヤル２９が配置され、電源コンセント１８から給電するための差込プラグ１７ｐ付きの電源コード１７を備えている。
【００２４】
電源スイッチ２１をＯＮ，ＯＦＦすると表示手段１３が作動、停止し、その状態はパイロットランプ２２の点灯、消灯によって表示される。回数表示部２６には、ボールＢを打った回数（球速計測手段１２の位置を通過した回数）が表示される。速度切換スイッチ２４を押すと、球速計測手段１２の位置を通過したボールＢの速度値が速度・距離表示部２７に表示される。距離切換スイッチ２５を押すと、球速計測手段１２で検知したボールＢの速度に基づいて所定の演算方式によって算出されたボールＢの転動距離が速度・距離表示部２７に表示される。平均値表示スイッチ２３を押すと、それまでに検知されたボールＢの速度、予想転動距離の平均値が速度・距離表示部２７に表示される。
【００２５】
「芝の速さ」の設定ダイヤル２９は、球速計測手段１２で検知したボールＢの速度値に基づいてボールＢの転動距離を算出する際の演算方式を段階的に変化させるためのものである。即ち、球速計測手段１２が検知した速度値が同じであても、設定ダイヤル２９を時計回りに一杯回した状態ではボールＢの転動距離が最大値となるように演算され、設定ダイヤル２９を反時計周りに一杯回した状態では転動距離が最小値となるように演算され、それぞれの値が速度・距離表示部２７に表示される。
【００２６】
従って、設定ダイヤル２９を回していずれかの位置にセットすることにより、マット１１上でボールＢを打つときの「芝の速さ」を仮想的に調節することができる。本実施形態においては、設定ダイヤル２９を時計方向に止まる位置まで回すと「芝の速さ」が「＋６０％」に設定され、その位置から反時計方向に回すと「芝の速さ」が「＋３０％」、「＋１０％」、「普通」、「−１０％」の順に段階的に設定される。
【００２７】
図１，図３に示すように、マット１１の終端部１１ｂ付近には、マット１１上を転動してきたボールＢが接触して通過可能な状態に垂下された可撓性部材１４，１５が設けられている。これらの可撓性部材１４，１５は、マット１１の終端部１１ｂ付近に配置された平面視形状が略四辺形状の柵状部材１６に着脱可能に取り付けられている。
【００２８】
柵状部材１６は、マット１１の長辺方向と平行をなす二つの側壁部１６ｄと、これらの一方の端部同士を連結する背壁部１６ｃと、他方の端部同士を連結する支持部１６ａと、支持部１６ａと背壁部１６ｃとの間に設けられた支持部１６ｂと、で形成されている。可撓性部材１４は支持部１６ａにネジ１６ｎで取り付けられ、可撓性部１５は支持部材１６ｂにネジ１６ｎで取り付けられている。本実施形態では支持部１６ａ，１６ｂ、背壁部１６Ｃ及び側壁部１６ｄは金属板材で形成されているが、これに限定するものではない。
【００２９】
図３に示すように、可撓性部材１４，１５及び柵状部材１６は、可撓性部材１４，１５がマット１１の長辺方向と直交するような姿勢で、マット１１の終端部１１ｂ付近に配置される。この場合、マット表面１１ｃから可撓性部材１４，１５の下縁部１４ａ，１５ａまでの高さ１４ｈ，１５ｈはボールＢの直径Ｂｄより小さくなるように設定されている。
【００３０】
マット１１の始端部１１ａ付近（図１参照）から打ち出されマット１１上を転動してきたボールＢは、最初に可撓性部材１４の下縁部１４ａに接触するが、ボールＢの運動エネルギによって可撓性部材１４がボールＢの転動方向へ弾性変形し、その下縁部１４ａが上昇するので、ボールＢはマット表面１１ｃと下縁部１４ａとの隙間を通過して可撓性部材１５方向へ移動する。平均的な力で打ち出されたボールＢは、可撓性部材１４の下縁部１４ａと接触して、その下を通過することによってボールＢの運動エネルギの大部分は失われるので、ボールＢは可撓性部材１５に到達する前、若しくは可撓性部材１５に接触して跳ね返された状態で、可撓性部材１４，１５間のマット１１上に停止する。
【００３１】
一方、強い力で打ち出されたボールＢは可撓性部材１５で跳ね返されることなく、可撓性部材１５を弾性変形させながら、その下方を通過する。このとき、ボールＢに残っている運動エネルギの大部分は失われるので、柵状部材１６の背壁部１６ｃに到達する前に停止するか、背壁部１６ｃに当接して跳ね返され、背壁部１６ｃと可撓性部材１５との間で停止する。
【００３２】
ロングパットの練習では、ボールＢが比較的強い力で打たれるので、ボールＢの回収が問題となるが、高速で転動してくるボールＢの上端部が可撓性部材１４，１５に接触する際に、可撓性部材１４，１５の弾性力及び摩擦抵抗力によりボールＢの速度が大きく減速されるので、ボールＢは確実に背壁部１６ｃと可撓性部材１５との間に回収される。
【００３３】
前述したように、マット１１上を転動してきたボールＢは、可撓性部材１４，１５の一方若しくは両方に接触して、その下方を通過することによって運動エネルギを失い、可撓性部材１４，１５間の領域若しくは可撓性部材１５と背壁部１６ｃとの間の領域で停止するので、打たれたボールＢは柵状部材１６で囲まれた領域内に集まることとなり、ボールＢの回収に手間が掛からない。
【００３４】
本実施形態では、可撓性部材１４，１５として、マット１１上からマット表面１１ｃに向かって垂下する平板状のゴム製弾性部材を設けているが、これに限定するものではないので、同様の性質を有する材料であれば他の素材を使用することもできる。また、可撓性部材１４，１５及び柵状部材１６はマット１１と分離しているので、使用時はマット１１の終端部１１ｂ付近の任意の位置に配置することができ、不使用時は別々に収納することができる。
【００３５】
パット練習器１０を使用する場合、表示手段１３の電源スイッチ２１をＯＮし、パイロットランプ２２の点灯と、回数表示部２６及び速度・距離表示部２７のゼロ表示を確認する。この後、速度表示切換スイッチ２４を押すと、速度・距離表示部２７にボール速度が表示されるモードに設定され、距離表示切換スイッチ２５を押すと、速度・距離表示部２７にボール転動距離が表示されるモードに設定される。また、設定ダイヤル２９を左右に回転させることにより、前述した「芝の速さ」を５段階のうちの何れかに設定する。
【００３６】
表示手段１３における設定操作が完了したら、練習者は、マット１１上に置いたボールＢを、球速計測手段１２を経由してボール受け手段である可撓性部材１４，１５に向かって打てば、マット１１上を転動するボールＢの速度を球速計測手段１２が計測し、スイッチ２４，２５の設定モードに応じて、ボールの速度値若しくは前記速度値に基づいて算出されたボールの転動距離値が表示手段１３の速度・距離表示部２７に表示される。従って、速度・距離表示部２７に表示された転動距離の数値を練習者が見ることにより、自分の打球動作の強弱と実際のボールの転動距離との関係を把握することが可能となり、ロングパット技術の向上に有効である。
【００３７】
特に、表示手段１３の速度・距離表示部２７に表示された転動距離値を練習者が見ることにより、自分の打球動作の強弱とボールの転動距離との関係を把握することができるため、ロングパットの距離感を習得するのに有効である。これにより、練習者は、ロングパットの「基準の距離」を体得し、全ての距離に対し、「基準の何倍？」あるいは「基準の何割増し？」など、ほぼ正確に打つことのできる距離感を習得することができる。
【００３８】
また、表示手段１３の表面パネル１３ｐに設けられた設定ダイヤル２９を回して「芝の速さ」を仮想的に調節することができるので、練習者は、より実戦に近いロングパットの練習を行うことが可能である。即ち、「芝の速さ」を一般のゴルフ場の芝の状態からプロの競技場の芝の状態に至るまで、適宜、選択的に設定することができるため、ロングパット技術の習得に極めて有効である。
【００３９】
また、練習者が打ったボールＢは、マット１１上を転動しながらボール受け手段である可撓性部材１４，１５に接触し、その下方を通過するが、ボールが接触、通過する際に変形する可撓性部材１４，１５によりボールＢの運動エネルギが失われ、その速度が急激に低下し、最終的には、可撓性部材１４，１５より背壁部１６ｃ側の領域で停止する。このため、打ち出されたボールＢが散乱することがなく、練習後のボールＢ回収にも手間が掛からない。
【００４０】
また、可撓性部材１４，１５として、マット表面１１ｃに向かって垂下する平板状のゴム製弾性部材を使用したことにより、マット１１上を横断する方向（マット１１の長辺方向と交差する方向）に可撓性部材１４，１５を配置することが可能となるため、マット１１上を真っ直ぐに転動してくるボールＢだけでなく、斜め方向に転動してくるボールＢも確実に受け止めることができる。
【００４１】
さらに、可撓性部材１４，１５を通過したボールＢの転動領域にボールＢの転動を阻止する柵状部材１６を設けたことにより、練習中にマット１１上に打ち出され、可撓性部材１４，１５を通過したボールＢは柵状部材１６で囲まれた領域に集まるので、練習後のボールＢの回収にも手間がかからない。
【００４２】
次に、図４〜図６に基づいて本発明の第二実施形態であるパット練習器５０について説明する。図４に示すように、パット練習器５０は、ボールＢの転動領域となるマット５１と、マット５１の始端部５１ａ付近から打ち出され、マット５１上を転動してきたボールＢを跳ね返すため、マット５１の終端部５１ｂに配置された反発部材５２と、を備え、反発部材５２の上面５２ａに、ゴルフ場のホールの内径と同じ直径５３ｄの円形マーク５３が表示されている。
【００４３】
図５に示すように、円形マーク５３の直径５３ｄは１０．７ｃｍであり、ボールＢの外径は４．２７ｃｍであるため、円形マーク５３内にボールＢは２．５個並べられる計算となる。円形マーク５３の左端に内接したボールＢの中心を目標点Ｐ３とし、円形マーク５３の中心にボールＢが位置したときの中心を目標点Ｐ１とし、円形マーク５３の右端に内接したボールＢの中心を目標点Ｐ２とし、Ｐ１，Ｐ２，Ｐ３にそれぞれピン（図示せず）が立てられる。
【００４４】
このような構成において、練習者が、始端側５１ａ寄りのマット５１上に置いたボールＢを反発部材５２の上面の円形マーク５３を狙って打つことにより、目標を狙って、真っ直ぐにボールＢを打つ練習を行うことができるため、ショートパットを真っ直ぐ打つ技術の向上に有効である。また、円形マーク５３の直径が実際のゴルフ場のホールの内径と同じであるため、臨場感のあるパット練習を行うことができる。さらに、円形マーク５３に向かって打たれたボールＢは、反発部材５２の反発部５４に当接して、跳ね返された後、練習者の足元に戻ってくるので、１個のボールＢでショートパットの練習を効率的に反復することができ、ボールＢを回収する手間も不要である。この場合、跳ね返ってくるボールＢの転動距離により、実際の芝の上でボールＢを打つ強さを習得することができる。
【００４５】
また、円形マーク５３内には、打球目標となる複数の目標点Ｐ１，Ｐ２，Ｐ３が表示されているので、練習者は、これらの目標点Ｐ１，Ｐ２，Ｐ３のうちの何れか一つを狙ってボールＢを打つ練習を行うこともできるため、目標の一点を狙って、真っ直ぐにボールＢを打つ技術を習得することができる。
【００４６】
一方、図６に示すように、反発部材５２の底面５２ｂの角隅部寄りの部分には、それぞれスパイク状のストッパ５５が設けられているため、底面５２ｂを下にして、図４に示すように、マット５１上に載置したとき、ストッパ５５がマット５１表面に当接することにより、反発部材５２が勝手に動かないように保持することができる。なお、ストッパ５５はスパイク状に限定しないので、マット５１表面に対し滑り止め作用を発揮するものであれば、その他の部材を使用することができる。
【産業上の利用可能性】
【００４７】
本発明のパット練習器はゴルフ愛好者が住宅内でロングパットやショートパットの練習を行うための器具として広く利用することができる。
【符号の説明】
【００４８】
１０，５０  パット練習器
１１，５１  マット
１１ａ，５１ａ  始端部
１１ｂ，５１ｂ  終端部
１１ｃ  表面
１２  球速計測装置
１２ａ  センサ収納部
１２ｂ  センサ
１２ｃ  水平支持部材
１３  表示装置
１３ｐ  表面パネル
１４，１５  弾性部材
１４ａ，１５ａ  下縁部
１４ｈ，１５ｈ  高さ
１６  柵状部材
１７  電源コード
１６ａ，１６ｂ  支持部
１６ｃ  背壁部
１６ｄ  側壁部
１６ｎ  ネジ
１７ｐ  差込プラグ
１８  電源コンセント
１９  信号ケーブル
２１  電源スイッチ
２２  パイロットランプ
２３  平均値表示スイッチ
２４  速度表示切換スイッチ
２５  距離表示切換スイッチ
２６  回数表示部
２７  速度・距離表示部
２８  リセットスイッチ
２９  設定ダイヤル
５２  反発部材
５２ａ  上面
５２ｂ  底面
５３  円形マーク
５３ｄ  直径
５４  反発部
５５  ストッパ
Ｂ  ゴルフボール
Ｂｄ  直径
Ｆ  床面
Ｐ１，Ｐ２，Ｐ３  目標点
【図１】
2011015745.tif 000003
【図２】
2011015745.tif 000004
【図３】
2011015745.tif 000005
【図４】
2011015745.tif 000006
【図５】
2011015745.tif 000007
【図６】
2011015745.tif 000008